(57)【特許請求の範囲】
【請求項１】
複数のボールが連接されたボールチェーンに着脱自在に係止される弾性板であり、
中央に前記ボールチェーンのボールの直径より狭い穿孔が穿設され、外縁部から前記穿孔に切り込みが形成され、
ボールチェーンの隣合う２つのボールを前記穿孔の両側に係止し、外力により前記ボールチェーンに対する相対的な移動があると係止された一方のボールが前記切り込みの弾性変形により前記穿孔を拡大させて順次通過することができることを特徴とするボールチェーン用係止片。
【請求項２】
複数のボールが連接されたボールチェーンに着脱自在に係止される弾性板であり、
中央に前記ボールチェーンのボールの直径より狭い穿孔が穿設され、前記穿孔から外方に若干の切り込みが形成され、
ボールチェーンの隣合う２つのボールを前記穿孔の両側に係止し、外力により前記ボールチェーンに対する相対的な移動があると係止された一方のボールが前記切り込みの弾性変形により前記穿孔を拡大させて順次通過することができることを特徴とするボールチェーン用係止片。
【請求項３】
複数のボールが連接されたボールチェーンに着脱自在に係止される円錐形状に形成された弾性を有するプラスチック板であり、
円錐の頂点に前記ボールチェーンのボールの直径より狭い小円孔が穿設され、外周縁から母線に沿って前記小円孔まで切り込みが形成され、
ボールチェーンの隣合う２つのボールを前記小円孔の両側に係止し、外力により前記ボールチェーンに対する相対的な移動があると係止された円錐内側のボールが前記切り込みの弾性変形により前記小円孔を拡大させて順次通過することができることを特徴とするボールチェーン用係止片。
【請求項４】
複数のボールが連接されたボールチェーンに着脱自在に係止される弾性板であり、
中央に前記ボールチェーンのボールの直径より狭い幅長の長孔が穿設され、
ボールチェーンの隣合う２つのボールを前記長孔の両側に係止し、外力により前記ボールチェーンに対する相対的な移動があると係止された一方のボールが弾性変形により前記長孔を拡開させて順次通過することができることを特徴とするボールチェーン用係止片。
【請求項５】
物品を取り付けたボールチェーンに係止された請求項１から請求項４までのいずれかの項記載の係止片を着脱自在に嵌合保持する嵌合溝と、同嵌合溝の内部に穿設された孔と、外縁から前記孔に至る切欠きとが形成された棚を備え、
前記嵌合溝に前記係止片を嵌合保持し、同係止片が係止されたボールチェーンを前記孔を通して下方に延出し、その下端に前記物品を吊設可能としたことを特徴とするボールチェーン用係止片の保持構造。
【請求項６】
請求項５記載の嵌合溝と切欠きの組が複数水平方向に配列された棚を、上下に複数段設けて、ボールチェーンに係止された請求項１から請求項４までのいずれかの項記載の係止片を前記嵌合溝が保持し同ボールチェーンを介して吊設された状態で多数の景品を上下左右に陳列し、
遊戯者の操作に応じて陳列される景品に対応する位置へ移動自在に支持され、前記景品に向かって伸縮自在に突出するフォークを有する係止解除部材を備え、
遊戯者の操作によって前記係止解除部材が目的とする景品に対応する位置まで移動した後に前記フォークが延びてボールチェーンを挟み、前記係止解除部材が下降することによりボールチェーンを下方へ引っ張りボールチェーンの前記係止片との係止を解除して前記吊設された景品を取得することを特徴とする景品取得ゲーム装置。
【発明の詳細な説明】
【０００１】
【発明の属する技術分野】
本発明は、複数のボールが連接されたボールチェーンに係止される係止片およびその保持構造に関する。
ここにボールチェーンには、キーホルダー等に使用される金属製のものは勿論、合成樹脂製のタイベルトのようなものも含め総称してボールチェーンと称している。
【０００２】
【従来の技術】
例えばキーホルダー等には、よくボールチェーンが用いられ、着脱自在の連結部材によりボールチェーンが環状に構成でき、キー等を通して保持することができる。
またボールチェーンには、キャラクター人形や小物類の物品が付属している。
したがってキーホルダー等のボールチェーンは、本来の用途としてはキーを保持できることであるが、その他鞄等の持ち物にマスコットとして吊り下げたりしている。
【０００３】
【発明が解決しようとする課題】
しかし単にその程度の用途しかなく、面白味に欠けるところがあり、需要を喚起するような魅力にいま一つ乏しい点があった。
また陳列する場合でもボールチェーンをリング状にしてピン等に引っかける等意外と面倒であった。
【０００４】
本発明は、かかる点に鑑みなされたもので、その目的とする処は、ボールチェーンを玩具のように楽しむことができ、陳列も簡単にできるようにするボールチェーン用係止片を供する点にある。
また同ボールチェーン用係止片の保持構造を供する点にある。
【０００５】
【課題を解決するための手段および作用効果】
上記目的を達成するために、本請求項１記載の発明は、複数のボールが連接されたボールチェーンに着脱自在に係止される弾性板であり、中央に前記ボールチェーンのボールの直径より狭い穿孔が穿設され、外縁部から前記穿孔に切り込みが形成され、ボールチェーンの隣合う２つのボールを前記穿孔の両側に係止し、外力により前記ボールチェーンに対する相対的な移動があると係止された一方のボールが前記切り込みの弾性変形により前記穿孔を拡大させて順次通過することができるボールチェーン用係止片とした。
【０００６】
係止片は、その切り込みから内部の穿孔にボールチェーンを嵌入して、隣どうしのボール間に係止することができ、係止された状態で、係止片の外縁を持ってボールチェーンを一方に引っ張ると、ボールが係止片の穿孔を弾性変形により拡大させて順次通過していき、ボールが通過したあと係止片の弾性復帰するときにクリック音が生じ、ボールが順次通過することでこのクリック音が断続的に軽快な音として響き、遊戯者に快い感覚を与えることができる。
【０００７】
またボールチェーンに係止片が係止されていると、係止片を利用してボールチェーンを吊るすことが容易にでき、陳列する時等に便利である。
【００１３】
また請求項５記載の発明では、物品を取り付けたボールチェーンに係止された請求項１から請求項４までのいずれかの項記載の係止片を着脱自在に嵌合保持する嵌合溝と、同嵌合溝の内部に穿設された孔と、外縁から前記孔に至る切欠きとが形成された棚を備え、
前記嵌合溝に前記係止片を嵌合保持し、同係止片が係止されたボールチェーンを前記孔を通して下方に延出し、その下端に前記物品を吊設可能としたボールチェーン用係止片の保持構造とした。
【００１４】
係止片が係止されたボールチェーンを物品を下にして吊るし、ボールチェーンの係止片と物品間を、前記切欠きから通し、嵌合溝に係止片を嵌合させれば、係止片を簡単に保持し物品を吊るすことができ、また逆に外すことも簡単にでき、よって複数の物品を陳列することも容易にできる。
【００１５】
また上記保持構造に物品をボールチェーンを介して吊るした状態で、物品を下方に引っ張ると、保持された係止片の穿孔をボールチェーンのボールが順次通過して軽快なクリック音を発することができる。
【００１７】
【発明の実施の形態】
以下本発明に係る一実施の形態について図１ないし図８に図示し説明する。
本実施の形態は、ボールチェーン２を使用したキーホルダー１に適用したものであり、図１はその全体図である。
ボールチェーン２は、複数のボールを連接したもので、その一端部には連結部材であるジョイント３が固着されている。
【００１８】
キーホルダー１には、キャラクター人形やその他の小物類の物品４が付属しており、物品４は頂部に小孔を有する突起４ａが突設されており、突起４ａの小孔はボールチェーン２のボールを通すことができるが、ジョイント３は径が小さくて通すことができない。
【００１９】
したがってボールチェーン２をジョイント３のない自由端部のボール２ａから突起４ａの小孔に通していくと、ジョイント３が小孔に係止し、ボールチェーン２の自由端部を掴んで持ち上げると、ボールチェーン２を介して下端に物品４を吊るすことができる。
またジョイント３をボールチェーン２の自由端部のボール２ａに係合させると、物品４を保持してリング状を構成することができ、キーを通し保持したり、各種持ち物に簡単に取り付けることができる。
【００２０】
かかるキーホルダー１において、ボールチェーン２に係止片５が、係止される。
係止片５は、弾性を有するプラスチック板を円錐形状に形成したものであり、図２および図３に図示するように、円錐の頂点に小円孔６が穿設され、外周縁から母線に沿って小円孔６まで切り込み７が形成されている。
また小円孔６の周囲には放射状に若干の切り込み６ａが３本程入っている。
【００２１】
小円孔６は、ボールチェーン２のボールの径より若干小さい径をしており、切り込み７からボールチェーン２を挿入して、図１に示すように小円孔６を前後のボールが挟むようにして係止片５は係止される。
【００２２】
図１に示すようにボールチェーン２が貫通する突起４ａの小孔に関してボールチェーン２の一方の端部にジョイント３があり、他方の側に係止片５が係止されることで、ボールチェーン２がリング状を形成していないときでも、突起４ａを挟んで両側部分にジョイント３と係止片５があり、ボールチェーン２から物品４が抜け落ちるのを防止でき便利である。
【００２３】
かかる状態のキーホルダー１は、一方の手で係止片５を掴み、他方の手で物品４を持って、図４に示すように互いに離れる方向に引っ張ると、ボールチェーン２の端部のジョイント３が物品４の突起４ａに掛かり止められた状態になって係止片５に対してボールチェーン２が引っ張られることになり、ボールチェーン２のボールが、係止片５の小円孔６を切り込み６ａ，７の拡大で大径に弾性変形させて順次通過していき、ボールが通過したあと係止片の弾性復帰するときにクリック音が生じ、ボールが順次通過することでこのクリック音が断続的に軽快な音として響き、遊戯者に快い感覚を与えることができる。
【００２４】
このように遊戯者は、キーホルダー１を玩具として使用して遊ぶことができる。
係止片５は円錐形をしているので、ボールチェーン２が引っ張られるときに、自由端側のボールチェーンは小円孔６に向けて案内されて同小円孔６を確実に通過し、切り込み７の方にずれて引っ掛かって抜けなくなるようなことはない。
【００２５】
また図５ないし図７に示すような保持棚10を用意し、上記キーホルダー１を吊り下げて陳列することができる。
保持棚10は、上面が前方に向かって下向きに傾斜しており、左右方向に複数の円錐溝11が形成されている。
【００２６】
各円錐溝11には、その円錐の頂点に孔12が形成され、孔12に向かって側縁から切欠き13が形成されている。
このような保持棚10に、前記キーホルダー１を吊設するのに、ボールチェーン２の自由端部の方を掴んで物品４を吊り下げ、図７に２点鎖線で示すようにボールチェーン２の係止片５と物品４との間を保持棚10の切欠き13から孔12に挿入し、キーホルダー１を下げると、図７に実線で示すように係止片５が保持棚10の一つの円錐溝11に嵌合し、キーホルダー１は安定して吊設される。
【００２７】
係止片５は円錐形状をして、円錐溝11に嵌合するので、簡単かつ確実にキーホルダー１が保持棚10に吊設され、陳列作業も容易となる。
また保持棚10に吊設されたキーホルダー１は、上記の逆の作業すなわちボールチェーン２の自由端部を掴んで持ち上げ、手前に移動すれば簡単に支持棚10から外すことができる。
【００２８】
または図７に実線で示すようにキーホルダー１が保持棚10に吊設された状態で、物品４を下方に引っ張れば、ボールチェーン２のボールが係止片５の小円孔６を通過してクリック音を発生し、最後にボールチェーン２を抜き去ることができる。
【００２９】
上記の事は、景品取りゲーム装置に利用することができる。
図８は、該景品ゲーム装置20の全体外観図であり、縦長の筐体21の上部前面を透明板22が覆い、内部に前記保持棚10と略同じ構造の保持棚23が上下に複数段設けられており、前記したように多数のキーホルダー１が係止片５を保持されて吊設されている。
【００３０】
このように垂直平面的に吊設された多数のキーホルダー１と前面の透明板22との間に、係止解除部材25が上下左右に移動自在に支持されており、係止解除部材25には、キーホルダー１側に向けて伸縮自在にフォーク26が突出している。
筐体21の下部が前方に膨出してその上面を操作パネル30とし、同操作パネル30に上昇ボタン31と右走行ボタン32およびコイン投入口33が設けられ、同操作パネル30の下方の前壁には景品取出口34が形成されている。
【００３１】
遊戯者は、コインをコイン投入口33に投入してゲームを開始し、まず左下のホームポジションに位置した係止解除部材25を上昇ボタン31の押し操作で所要高さまで上昇させ、次に右走行ボタン32を押して係止解除部材25を目的とする位置まで移動させる。
【００３２】
その後は、自動的にフォーク26が延び、狙ったキーホルダー１の物品４を吊設するボールチェーン２をうまく挟むと、係止解除部材25の下降により、ボールチェーン２が下方へ引っ張られ、前記したように保持された係止片５をボールチェーン２が通過して抜ける。
このとき断続的なクリック音が心地良く響く。
【００３３】
そしてボールチェーン２が係止片５から抜けきると、キーホルダー１は落下し、景品取出口34まで案内されてくるので、遊戯者は該キーホルダー１を取り出すことができる。
【００３４】
なおボールチェーン２の最後のボールが係止片５の小円孔６を抜けたところで、係止片５はその弾性復帰力により跳ね上がり、遊戯者に視覚的な興趣を与えるとともに保持棚23の円錐溝から外れて落下し、キーホルダー１とともに景品取出口34より取り出すことができる。
【００３５】
以上の実施の形態では、係止片５を円錐形状としたが、図９に示すように種々の形状が考えられる。
すなわち図９▲１▼の係止片40は、円板形状とし、小円孔41，切り込み42が形成されており、図９▲２▼の係止片50は、矩形としたものであり、図９▲３▼の係止片60は、矩形であるとともに、小円孔の代わりに長孔61が形成されている。
【００３６】
図９▲４▼の係止片70は、円板形状で中央に円孔71が穿設され、円孔71の周りに切り込み72が放射方向に２か所短い長さで形成されている。
図９▲５▼の係止片80は、円板形状で中央に長孔81が穿設されたものである。
図９▲６▼の係止片90は、矩形板状で一側縁から切り込み92が設けられ、切り込み92に連続して円孔91が穿設されており、円孔91は中心より偏心した位置にある。
【００３７】
図９▲７▼の係止片100 は、碗状をなし、その中央の頂点に円孔101 が穿設され、同円孔101 の周りに放射方向に４か所切り込み102 が形成されている。
図９▲８▼の係止片110 は、四角錐状をなし、その頂点に小孔111 が穿設され、同小孔111 から稜線に沿って切り込み112 が若干形成されている。
【００３８】
その他にも係止片の形状は種々考えられる。
またプラスチック製の係止片は、種々の色彩のものが製造でき、半透明にすることも可能で、見栄えを良くして商品性を向上させることができる。
【図面の簡単な説明】
【図１】本発明の一実施の形態に係るキーホルダーの斜視図である。
【図２】係止片の斜視図である。
【図３】同平面図である。
【図４】同キーホルダーの遊び方の一例を示す図である。
【図５】同キーホルダーが保持棚に吊設された状態を示す斜視図である。
【図６】図５におけるVI−VI線に沿って截断した断面図である。
【図７】係止片によりキーホルダーを吊設した状態を示す断面図である。
【図８】景品取りゲーム装置の全体外観図である。
【図９】係止片の変形例を示す図である。
【符号の説明】
１…キーホルダー、２…ボールチェーン、３…ジョイント、４…物品、５…係止片、６…小円孔、７…切り込み、
10…保持棚、11…円錐溝、12…孔、13…切欠き、
20…景品取りゲーム装置、21…筐体、22…透明板、23…保持棚、25…係止解除部材、26…フォーク、30…操作パネル、31…上昇ボタン、32…右走行ボタン、33…コイン投入口、34…景品取出口、
40…係止片、41…小円孔、42…切り込み、
50…係止片、
60…係止片、61…長孔、
70…係止片、71…小円孔、72…切り込み、
80…係止片、81…長孔、
90…係止片、91…小円孔、92…切り込み、
100 …係止片、101 …小円孔、102 …切り込み、
101 …係止片、111 …小円孔、112 …切り込み。
【図１】
0003899548.tif 000002
【図２】
0003899548.tif 000003
【図３】
0003899548.tif 000004
【図４】
0003899548.tif 000005
【図５】
0003899548.tif 000006
【図６】
0003899548.tif 000007
【図７】
0003899548.tif 000008
【図８】
0003899548.tif 000009
【図９】
0003899548.tif 000010